(57)【要約】【課題】  加湿用の水を貯める水槽を、加湿器本体に対して取り外し自在とし、その水槽の洗浄等が容易に行えるようにしつつ、複数の電極を水槽の水に浸すようにした構成であっても、水槽の洗浄などの作業が安全に行えるようにする。【解決手段】  加湿器本体２と、この加湿器本体内に形成された水槽収容部２Ｓと、この水槽収容部に出し入れ自在に収容される水槽６と、この水槽において少なくとも一部が水に浸されるように配置された加湿フィルタ７と、この加湿フィルタを介して加湿された空気を外部へ放出する送風手段８と、少なくとも一部が水槽の水に浸されるように加湿器本体内に設けられた複数の電極４０Ａ、４０Ｂ、４０Ｃと、水槽収容部への水槽の収容時に複数の電極を水槽の水に浸し、かつ、水槽収容部からの水槽の引き出し時に複数の電極を水槽の水から離間させるように作動させる連動機構Ｒとを備えた構成である。【選択図】      図６
2006057995.tif 000002
【特許請求の範囲】
【請求項１】
加湿器本体と、この加湿器本体内に形成された水槽収容部と、この水槽収容部に出し入れ自在に収容される水槽と、この水槽において少なくとも一部が水に浸されるように配置された加湿フィルタと、この加湿フィルタを介して加湿された空気を外部へ放出する送風手段と、少なくとも一部が前記水槽の水に浸されるように加湿器本体内に設けられた複数の電極と、前記水槽収容部への水槽の収容時に前記複数の電極を水槽の水に浸し、かつ、前記水槽収容部からの水槽の引き出し時に前記複数の電極を水槽の水から離間させるように作動させる連動機構とを備えたことを特徴とする加湿器。
【請求項２】
前記複数の電極が水槽の水を除菌するための除菌用電極であることを特徴とする請求項１に記載の加湿器。
【請求項３】
前記複数の電極が水槽の水を除菌するための除菌用電極及び水槽の水位を検出する水位検出電極であることを特徴とする請求項１に記載の加湿器。
【請求項４】
前記連動機構は、一端側で前記複数の電極を保持し、かつ、他端側が前記水槽の一部に当接する電極ホルダと、この電極ホルダの中間部を回動自在に支持する軸と、前記電極が常に上方へ回動するように前記電極ホルダを附勢するバネとで構成されていることを特徴とする請求項１に記載の加湿器。
【請求項５】
前記電極ホルダは、前記複数の電極を保持する電極保持辺部と作動辺部とを一体に有して形成され、かつ、それら電極保持辺部と作動辺部との間が前記軸によって枢支されていることを特徴とする請求項４に記載の加湿器。
【請求項６】
前記電極ホルダの作動辺部に当接してその作動辺部を押すための押し圧部が、前記水槽の後部に突出して設けられていることを特徴とする請求項５に記載の加湿器。
【請求項７】
前記押し圧部は、垂直方向の押し面部と、この押し面部に連続形成された水平方向の保持面部とを有して構成されていることを特徴とする請求項６に記載の加湿器。
【発明の詳細な説明】
【技術分野】
【０００１】
本発明は、加湿器本体内に形成された水槽収容部に、加湿用の水を貯溜する水槽が出し入れ自在に収容されるようにした加湿器に関し、特に、水槽の水を除菌する除菌用や水槽の水位を検出する水位検出用などの複数の電極を備えた加湿器に関する。
【背景技術】
【０００２】
従来、吸い込み口と吹き出し口が加湿器本体に形成され、この加湿器本体の下部には水槽が設けられ、吸い込み口と吹き出し口を連通する通風路に送風機と加湿フィルタが配置された加湿器において、水槽内の水の除菌作用や水位検出を行うための電極を設けたものがある。（例えば、特許文献１参照）。
【特許文献１】特開２００３−３５４４３号公報
【発明の開示】
【発明が解決しようとする課題】
【０００３】
上記した特許文献１のものは、水槽の一部に形成した補助水槽に、除菌用電極と水位検出用電極がホルダにより取り付けられて配線された構造である。この構造では、水槽が加湿器本体と一体化されていて、取り外す構成にはなっていない。そのため、水槽の奥側部分の清掃等がし難い。
【０００４】
本発明は、上述の実情に鑑みて成されたものであり、加湿用の水を貯める水槽を、加湿器本体に対して取り外し自在とし、その水槽の洗浄等が容易に行えるようにしつつ、複数の電極を水槽の水に浸すようにした構成であっても、水槽の洗浄などの作業が安全に行えるようにすることを目的としている。
【課題を解決するための手段】
【０００５】
請求項１に記載の発明は、加湿器本体と、この加湿器本体内に形成された水槽収容部と、この水槽収容部に出し入れ自在に収容される水槽と、この水槽において少なくとも一部が水に浸されるように配置された加湿フィルタと、この加湿フィルタを介して加湿された空気を外部へ放出する送風手段と、少なくとも一部が前記水槽の水に浸されるように加湿器本体内に設けられた複数の電極と、前記水槽収容部への水槽の収容時に前記複数の電極を水槽の水に浸し、かつ、前記水槽収容部からの水槽の引き出し時に前記複数の電極を水槽の水から離間させるように作動させる連動機構とを備えたことを特徴とする。
【０００６】
請求項２に記載の発明は、請求項１に記載の加湿器において、前記複数の電極が水槽の水を除菌するための除菌用電極であることを特徴とする。
【０００７】
請求項３に記載の発明は、請求項１に記載の加湿器において、前記複数の電極が水槽の水を除菌するための除菌用電極及び水槽の水位を検出する水位検出電極であることを特徴とする。
【０００８】
請求項４に記載の発明は、請求項１に記載の加湿器において、前記連動機構は、一端側で前記複数の電極を保持し、かつ、他端側が前記水槽の一部に当接する電極ホルダと、この電極ホルダの中間部を回動自在に支持する軸と、前記電極が常に上方へ回動するように前記電極ホルダを附勢するバネとで構成されている。
【０００９】
請求項５に記載の発明は、請求項４に記載の加湿器において、前記電極ホルダは、前記複数の電極を保持する電極保持辺部と作動辺部とを一体に有して形成され、かつ、それら電極保持辺部と作動辺部との間が前記軸によって枢支されていることを特徴とする。
【００１０】
請求項６に記載の発明は、請求項５に記載の加湿器において、前記電極ホルダの作動辺部に当接してその作動辺部を押すための押し圧部が、前記水槽の後部に設けられていることを特徴とする。
【００１１】
請求項７に記載の発明は、請求項６に記載の加湿器において、前記押し圧部は、垂直方向の押し面部と、この押し面部に連続形成された水平方向の保持面部とを有して構成されていることを特徴とする。
【発明の効果】
【００１２】
本発明によれば、加湿器本体の水槽収容部へ水槽を収容すると、連動機構が水槽に連動して複数の電極を水槽内の水に浸した状態と成し、加湿器本体の水槽収容部から水槽を外に引き出すと、連動機構が水槽の引き出し動作に連動して複数の電極を水槽内の水から離間させるため、加湿器本体内への水槽の収納と引き出し作業が簡単に行えるのは勿論のこと、水槽の洗浄を行う場合にも使用者の手指などが複数の電極に触れることがないため、安全性を確保できる。
【発明を実施するための最良の形態】
【００１３】
本発明の加湿器は、加湿器本体と、この加湿器本体内に形成された水槽収容部と、この水槽収容部に出し入れ自在に収容される水槽と、この水槽において少なくとも一部が水に浸されるように配置された加湿フィルタと、この加湿フィルタを介して加湿された空気を外部へ放出する送風手段と、少なくとも一部が前記水槽の水に浸されるように加湿器本体内に設けられた複数の電極と、前記水槽収容部への水槽の収容時に前記複数の電極を水槽の水に浸し、かつ、前記水槽収容部からの水槽の引き出し時に前記複数の電極を水槽の水から離間させるように作動させる連動機構とを備えて構成したものであり、以下に本発明の実施例を説明する。
【実施例１】
【００１４】
次に、本発明の実施例１について説明する。図１は本発明に係る加湿器の正面斜視図、図２は本発明に係る加湿器の前面パネルを外した状態の本体正面斜視図、図３は本発明に係る加湿器の前面パネルの正面斜視図、図４は本発明に係る加湿器の前面パネルを外した状態で水槽を引き出した状態の本体正面斜視図、図５は本発明に係る加湿器の送風機対応部分の縦断側面図、図６は本発明に係る加湿器の水槽を引き出した状態の縦断側面図、図７は本発明に係る加湿器の水槽を収納した状態の縦断側面図、図８は本発明に係る加湿器の水槽を引き出した状態の電極部分の正面斜視図、図９は本発明に係る加湿器の電極の構成図である。
【００１５】
図において、加湿器１は、前面開口の加湿器本体２と、この前面開口を塞ぐように本体２の前面に取り外し自在に取り付けられた前面パネル３とで筐体を構成している。本体２の上面には折り畳み自在に取っ手１Ａが設けられている。前面パネル３の左右両側には上下に下方に屈曲した鉤部３Ａを備え、本体２の前面の左右両側には、上下にこの鉤部３Ａが上方から引っ掛かる縦長の係止孔２Ａが形成されている。この構成によって、前面パネル３が本体２の前面に取り外し自在に取り付けられる。
【００１６】
前記本体２内は、下部に水槽収納部２Ｓが形成され、その上方に仕切り板１６によって囲まれた送風室２Ｆが形成され、送風室２Ｆの右隣にタンク収納室１８が形成されている。本体２の下部の水槽収納部２Ｓには上面開口の水槽６が設けられ、前面パネル３を取り外した状態で、水槽６は前面下部の取っ手６Ｂによって、本体２に対して前後にスライド式にて引き出し収納自在である。
【００１７】
前記本体２内の下部には、水槽収納部２Ｓとタンク収納室１８が区画壁４１によって左右に区画されている。前記水槽６は、区画壁４１に対応するように後方へ開いた窪み４８が形成されており、前記本体２に収納したときに、区画壁４１が窪み４８に進入して、この水槽６の左右の移動を抑制する作用をする。
【００１８】
前記水槽６内は、左側にフィルタ室６Ｆ、右側にタンク室６Ｔとなるように区画壁６Ｃで区分形成しており、フィルタ室６Ｆ内にはその中の水に下部が浸る状態に加湿手段としての加湿フィルタ７が設けられ、この加湿フィルタ７は、フィルタ室６Ｆ内の左右側壁下部に形成した前後のリブ６Ｄ間に取り外し自在に支持されている。
【００１９】
前記水槽６が、本体２の前方からスライドにて水槽収納部２Ｓに収納された状態において、前記本体２の上面右側部に設けた開閉蓋１７を開き、そして、タンク収納室１８に上方から給水タンク１９を挿入することにより、給水タンク１９が水槽６のタンク室６Ｔに収納される。
【００２０】
この給水タンク１９のタンク収納室１８への収納によって、前記給水タンク１９は、その重量で底部がタンク室６Ｔ内の凹部６Ａにセットされる。この状態で、前記給水タンク１９の底部に設けたバルブ(図示せず)が開き、給水タンク１９内の水が水槽６内へ供給され、水槽６内の凹部６Ａと、この凹部６Ａに連通したフィルタ室６Ｆには、所定水位が維持される構成である。
【００２１】
前記給水タンク１９は、内部の水が透視可能な合成樹脂製であり、タンク室１８に収納された状態において、前面パネル３の裏側に近接し、前面パネル３に形成した縦長窓３Ｂを介して前記給水タンク１９内の水位が視認できるものである。
【００２２】
前記送風室２Ｆ内には、電動機１１によって回転する送風手段としての送風機８が収納されている。この送風機８は、前記加湿フィルタ７の空気入口側に十分な空気の静圧を得るために、電動機１１によって回転する遠心型送風機が採用され、その代表として、シロッコファンやターボファンがあり、本実施例の加湿器１では、横長の一つのシロッコファン８Ａを用いて構成している。そして、シロッコファン８Ａは、送風室２Ｆ内において、前記水槽６に向けて開口１５Ａしたファンケーシング１５により形成された送風機室１５Ｆ内に設けられている。
【００２３】
また、前記シロッコファン８Ａは、その周縁部に左右方向軸１３に平行に延びた多数の羽根１４を備えると共に、左右の中央部にはボス部を有する支持用円盤１２が設けられ、そして、この支持用円盤１２のボス部に取り付けられた左右方向軸１３を回転させる電動機１１が、前記ファンケーシング１５の外部に配置されている。正面視において、シロッコファン８Ａは、左側面と右側面が空気の吸い込み側であり、吸い込んだ空気は羽根１４間から遠心方向へ送出され、このシロッコファン８Ａから送出される送風は、開口１５Ａから下方の水槽６に向けて矢印のように流れる。
【００２４】
前記加湿器１には、空気の吸い込み口４と加湿空気の吹き出し口５が形成されており、この加湿器１内には、吸い込み口４と吹き出し口５とを連通するように通風路１０が形成されている。通風路１０は、吸い込み口４からファンケーシング１５内の送風機室１５Ｆへ連通する通路と、送風機室１５Ｆから開口１５Ａを通って水槽６内の加湿フィルタ７の空気入口側に至る通路と、加湿フィルタ７の前面の空気出口側から吹き出し口５へ至る通路（前面パネル３の裏側とファンケーシング１５の前方の仕切り板１６との間の通路）によって一連の通風路１０を形成している。
【００２５】
このような構成によって、通風路１０には通気性の加湿フィルタ７とその上方に送風機８が配置された構成である。吸い込み口４はフィルタ９を備えていて本体２の背面と左側面に渡って形成され、また、吹き出し口５は前面パネル３の上部に形成されている。吹き出し口５には、複数の縦桟３３と複数の横桟３４とで構成した吹き出し口カバー３５が設けられている。２０は水槽６の後方の閉じられた空間に形成した電装ボックスであり、その中に電装品２０Ａを収納している。
【００２６】
前記加湿フィルタ７は、合成樹脂製の枠７Ａ内に収納された繊維状のフィルタ７Ｂを備え、フィルタ７Ｂの下部が水槽６内の水に浸った状態に収納されている。前記フィルタ７Ｂは、所定間隔配置の縦方向仕切り７Ｂ１と、この仕切り７Ｂ１、７Ｂ１の相互間に配置した波型仕切り７Ｂ２によって、加湿フィルタ７の前後面に開口した多数の通気路７Ｃを形成した構成である。
【００２７】
前記縦方向仕切り７Ｂ１と波型仕切り７Ｂ２は、化学繊維製の不織布で構成され、フィルタ７Ｂの毛細管作用によって水槽６内の水を吸い上げ、前記送風機８によって供給される送風が通気路７Ｃを通過する。この送風が通気路７Ｃを通過する間に、吸い上げられた水が気化（蒸発）して湿気を帯びた空気、即ち、加湿空気となって、加湿フィルタ７の前面側へ送出され、通風路１０を上昇して吹き出し口５から加湿器１の外部に送出され、そして、この加湿器１が設置された室内の空気を加湿する。
【００２８】
本発明では、少なくとも先端の一部が前記水槽６内の水に浸るように複数の電極４０を加湿器１の本体２内に設けており、また、前記水槽６は、上記したように、加湿器１の本体２内の下部に形成した水槽収容部２Ｓに、引き出し自在に収納される形態である。このため、前記電極４０は、水槽６を収納した状態では、水槽６内の水中に浸るような所定位置へ進入し、水槽６を引き出し状態では、水槽６の水から離間されて、水槽６外に退避するよう、前記水槽６の収納と引き出し動作に伴って回動可能に加湿器１の本体２内に支持された構成である。
【００２９】
これを具体的に説明すると、前記水槽収納部２Ｓの後壁２Ｓ１に形成した窪み４３には、前記電極４０が常に上方へ回動するようにバネ４５の附勢力が付加された電極ホルダ４２を回動自在に設けている。電極ホルダ４２は、中間部を後壁２Ｓ１、即ち、窪み４３の側壁に回動可能に軸４４で支持され、前方に向く電極保持辺部４２Ａと下方に向く作動辺部４２Ｂと一体に有して形成され、また、バネ４５によって電極４０が常に上方へ回動するように附勢されている。そして、上記した電極ホルダ４２とバネ４５と軸４４とによって、前記水槽６の収納と引き出しの動作に連動して前記複数の電極４０を作動させる連動機構Ｒを構成している。
【００３０】
この実施例では、電極保持辺部４２Ａと作動辺部４２Ｂとの中間部を軸４４で支持し、電極４０が電極保持辺部４２Ａの前面から前方へ向く状態に取り付けられ、作動辺部４２Ｂは下方斜め前方へ向いている。軸４４の周りにはコイルバネ４５が設けられ、このバネ４５のバネ力によって、前記電極４０が常に上方へ回動するように電極ホルダ４２が附勢されている。そして、外力が加わらない状態、即ち、水槽６が引き出された状態では、図６のように、電極保持辺部４２Ａが略水平状態になる上位の位置に回動して、電極４０が前方に向いた位置で静止する。
【００３１】
前記水槽６を水槽収納部２Ｓに収納するとき、電極ホルダ４２の作動辺部４２Ｂの先端に当接して、その作動辺部４２Ｂを押すための押し圧部４６を、前記水槽６の後部、即ち後壁から後方へ略水平に突出して設けている。
【００３２】
前記押し圧部４６は、水槽６を水槽収納部２Ｓの入口から奥側へ向けてスライドにて収納させるとき、その収納の初期から中期に亘って、電極４０が水槽６内の水に浸る所定位置（図７に示す状態）へ下降するように、バネ４５力に抗して電極ホルダ４２を押圧回動させるための略垂直な縦方向の押し圧面４７Ａと、電極４０が水槽６内の所定位置へ下降した収納の中期から水槽６の最終収納位置までの間に亘って電極４０を下降した所定位置に保持する略水平な横方向の保持面４７Ｂとを有して構成されている。
【００３３】
上述の構成によって、前記水槽６が引き出された状態では、コイルバネ４５のバネ力によって、図６に示すように、前記電極保持辺部４２Ａが略水平状態となる上位の位置に回動して、前記電極４０が前方に向いた位置で静止しているが、水槽６を水槽収納部２Ｓに押しながら収納するにしたがって、前記電極ホルダ４２の作動辺部４２Ｂの先端部が、前記押し圧部４６の押し圧面４７Ａに当接する。
【００３４】
この状態が水槽６の収納の初期状態であり、この状態から更に水槽６が水槽収納部２Ｓに押し込まれることによって、コイルバネ４５のバネ力に抗して作動辺部４２Ｂの先端部４２Ｂ１が押し圧面４７Ａによって押されつつ、作動辺部４２Ｂの先端部４２Ｂ１が押し圧面４７Ａを上方へスライドすることにより、電極４０が下方へ移動するように、前記電極ホルダ４２が回動する。そして、この電極ホルダ４２の回動は、図６及び図７では、反時計回りである。
【００３５】
更に水槽６が水槽収納部２Ｓに押し込まれると、前記作動辺部４２Ｂの先端部４２Ｂ１は、押し圧面４７Ａの上端を通り過ぎて、前記押し圧部４６の上面の保持面４７Ｂに当接する状態となる。この時、電極４０が水槽６内の所定位置へ下降した状態（図７のように、電極４０が略垂直下方に向いた状態）となる。この状態が水槽６の収納の中期である。この状態から更に水槽６が水槽収納部２Ｓに押し込まれると、前記作動辺部４２Ｂの先端部４２Ｂ１は、保持面４７Ｂを水平状態でスライドしつつ、水槽６の最終収納位置に到達する。このように、電極４０が水槽６内の所定位置へ下降した収納の中期から水槽６の最終収納位置までの間においては、前記電極４０は下降した所定位置に保持されたままである。
【００３６】
そして、前記水槽６を最終収納位置に保持するために、適切な構成とすればよい。その一つの方法としては、前面パネル３の裏側に水槽６が当接して水槽６が前方へ移動しないようにする方法があり、また、水槽６が最終収納位置において相互に嵌り合う凹凸の一方を水槽６に、かつ、他方を水槽収納部２Ｓの底面に形成する方法があり、さらにまた、水槽６の最終収納位置において、水槽６側の係合部が水槽収納部２Ｓ側の係合部に係合する方法がある。
【００３７】
この水槽６の最終収納状態から、水槽６を引き出した場合は、上記の収納の過程とは逆の動作が行われ、コイルバネ４５のバネ力によって作動辺部４２Ｂの先端部４２Ｂ１が保持面４７Ｂをスライドしつつ、保持面４７Ｂの後端から外れて、作動辺部４２Ｂの先端部が押し圧面４７Ａとの当接状態へ移行し、遂には電極ホルダ４２が水槽６の押し圧部４６から離れる。
【００３８】
実施例の電極４０は、水槽６内の水の除菌を行うための除菌用電極と、水槽６内の水の水位を検出する水位検出用電極を構成している。即ち、図８及び図９に示すように、同じ長さの電極４０Ａと４０Ｂとで除菌用電極を構成し、また、電極４０Ｂとそれよりも短い長さの電極４０Ｃとで水位検出用電極を構成しており、前記電極４０Ｂは、除菌用電極と水位検出用電極の共通電極として利用している。
【００３９】
前記除菌用電極４０Ａ、４０Ｂは、それの一方をプラス電極とすると共に、他方をマイナス電極として通電することにより、市水道などの水道水に含まれる塩素イオンを利用した電気分解によって水槽６の水に次亜塩素酸を生成し、この生成された次亜塩素酸によって、水槽６内の水の除菌を行うことができる。
【００４０】
また、水槽６内の水の水位検出は、一方の電極４０Ｂが水中に有る状態で、長さの短い他方の電極４０Ｃよりも水位が低下すると、後述する制御回路部２３が、水槽６内が水不足状態であると判定して、発光ダイオード（ＬＥＤ）の表示部で表示する。この発光ダイオード（ＬＥＤ）による表示は、後述の発光ダイオード（ＬＥＤという）３１Ａ〜３１Ｅで行う。
【００４１】
加湿器１の運転は、電装品２０Ａへの電源供給によって稼動可能であり、本体２の上面前部には横一列に配置した複数のスイッチ２２Ａ〜２２Ｅを備えた操作部２１が設けられている。これらのスイッチ２２Ａ〜２２Ｅは、加湿器１の電源のＯＮ−ＯＦＦ、運転モードの選択、マイナスイオン発生器２５のＯＮ−ＯＦＦ、タイマの設定などを選択するものであり、これらのスイッチの操作に基づき、電子回路部品で構成した制御回路部２３が作動して所期の制御が達成されるものである。また湿度センサ（図示せず）の検知に基づき、室内の湿度を、液晶表示するための湿度表示部２４に表示するようになっている。
【００４２】
加湿器１は、スイッチ２２Ｂによって選択された運転モードを外部から視認できるように表示部３０を設けている。この表示部３０は、複数個の発光ダイオードと、この発光ダイオードの光を導いて外部視認できる発光照明面を有する導光部材とから構成されている。
【００４３】
この実施例では、前記発光ダイオードは、光照射面を前面に向けて制御回路部２３の基盤に横一列に配置した５個の発光ダイオード（ＬＥＤという）３１Ａ〜３１Ｅで構成し、この５個の発光ダイオード（ＬＥＤという）３１Ａ〜３１Ｅは、本体２の上部前面に形成した５個の透孔３２Ａ〜３２Ｅにそれぞれ対応配置され、発光ダイオード（ＬＥＤという）３１Ａ〜３１Ｅの光は、それぞれ対応する透孔３２Ａ〜３２Ｅから前方へ照射される構成である。
【００４４】
前面パネル３の吹き出し口カバー３５の縦桟３３が、発光照明面を有する導光部材を構成するようにしている。そして、この縦桟３３の複数を発光ダイオード（ＬＥＤという）３１Ａ〜３１Ｅで光らせるようにし、送風機８の運転状態に応じてその光る範囲を変えることにより、送風機８の運転状態を加湿器１の外部から視認できるようにすると共に、装飾効果も向上させるものである。
【００４５】
そのため、縦桟３３のうち透孔３２Ａ〜３２Ｅに対応する縦桟３３Ａ〜３３Ｅが、発光ダイオード（ＬＥＤという）３１Ａ〜３１Ｅの光を受けて発光照明面（縦桟３３Ａ〜３３Ｅの上面）が輝くように、縦桟３３Ａ〜３３Ｅを透明なアクリル樹脂等のような透光性樹脂によって構成している。
【００４６】
上記したように、水位検出用の電極４０Ｂ、４０Ｃと制御回路部２３によって、水槽６内の水不足状態が検出されると、制御回路部２３によって発光ダイオード（ＬＥＤという）３１Ａ〜３１Ｅが点滅して、給水タンク１９への水の補給の必要性を報知するため、加湿器１の使用者は視認し易くなる。
【００４７】
また、上記したように、電極４０は、水槽６を収納した状態では、水槽６内の所定位置へ進入し、水槽６を引き出した状態では、水槽６の外に退避するように、水槽６の収納と引き出しの動作に連動して、回動可能となるように加湿器１の本体２内に設けられた電極ホルダ４２によって支持されている。これによって、水槽６には電極を取り付けない構成となり、そして、水槽６の収納と引き出しに伴って、電極４０が水槽６内に進入したり、退避したりするため、加湿器１の本体２内への水槽６の収納作業と、本体２からの水槽６の引き出し作業が簡単に行えるものである。また、水槽６を引き出して洗浄する場合には、作業者は電極４０に触れることなく、水槽６の洗浄や水槽６の出し入れを行うことができ、安全である。また、水槽６には電極４０を取り付けていないので、電極の配線が水槽６に延びておらず、加湿器１の組み立て時における組み立て作業もしやすくなる。
【００４８】
また、電極ホルダ４２をバネ力に抗して押すための押し圧部４６が水槽６の後壁に設けているため、水槽６の収納の初期から中期にかけて電極ホルダ４２が押し圧部４６の後側の縦方向押し圧面４７Ａに当接して回動し、それによって電極４０が水槽６内の所定の位置へ進入し、この中期から水槽６の最終収納位置までの間に亘って、電極ホルダ４２が押し圧部４６の上面に形成した水平状態の保持面４７Ｂに当接して、電極４０を水槽６内に進入した所定位置に保持するものである。そのため、水槽６を加湿器本体２内に挿入する規定位置を前後に余裕を持たせた構成としても、電極４０は正規の下降位置を保持できものであり、安定した制御動作が行える加湿器となる。このため、加湿器の構成が簡単になり、製造誤差も十分吸収できるものとなる。
【産業上の利用可能性】
【００４９】
本発明は、加湿器の形態は上記形態に限定されず、本発明の技術的範囲を逸脱しない限り種々の加湿器の形態に適用できるものである。
【図面の簡単な説明】
【００５０】
【図１】本発明に係る加湿器の正面斜視図である。（実施例１）
【図２】本発明に係る加湿器の前面パネルを外した状態の本体正面斜視図である。（実施例１）
【図３】本発明に係る加湿器の前面パネルの正面斜視図である。（実施例１）
【図４】本発明に係る加湿器の前面パネルを外した状態で水槽を引き出した状態の本体正面斜視図である。
【図５】本発明に係る加湿器の送風機対応部分の縦断側面図である。（実施例１）
【図６】本発明に係る加湿器の水槽を引き出した状態の縦断側面図である。（実施例１）
【図７】本発明に係る加湿器の水槽を収納した状態の縦断側面図である。（実施例１）
【図８】本発明に係る加湿器の水槽を引き出した状態の電極部分の正面斜視図である。（実施例１）
【図９】本発明に係る加湿器の電極の構成図である。（実施例１）
【符号の説明】
【００５１】
１        加湿器
２        加湿器本体
２Ｓ      水槽収納部
３        前面パネル
４        吸い込み口
５        吹き出し口
６        水槽
７        加湿フィルタ
８        送風機（送風手段）
１０        通風路
１５        ファンケーシング
１９        給水タンク
２１        操作部
２２Ａ〜２２Ｅ        スイッチ
２３        制御回路部
４０、４０Ａ、４０Ｂ、４０Ｃ        電極
４２        電極ホルダ
４２Ａ      電極保持辺部
４２Ｂ      作動辺部
４４        軸支持部
４５        コイルバネ
４６        押し圧部
４７Ａ      押し圧面
４７Ｂ      保持面
【図１】
2006057995.tif 000003
【図２】
2006057995.tif 000004
【図３】
2006057995.tif 000005
【図４】
2006057995.tif 000006
【図５】
2006057995.tif 000007
【図６】
2006057995.tif 000008
【図７】
2006057995.tif 000009
【図８】
2006057995.tif 000010
【図９】
2006057995.tif 000011